(57)【要約】      （修正有）【課題】庭木剪定のためのデータ入力を効率よく行うことができ、ユーザは自分の嗜好にあった作業者を容易に選択可能なこと。【解決手段】ユーザ端末と通信ネットワークを介して接続し、庭木剪定作業の見積りを実行するシステムであって、庭木の種類ごとに作業項目および費用情報を保存する見積り情報データベースと、庭木の種類を選択するための画像をユーザ端末へ表示出力し、画像がクリックされたときに、カーソル位置が画像上のどの領域にあるかを検知することによって、どの庭木の種類が選択されたかを判定し、選択された庭木の種類に対する作業項目が複数ある場合はさらに作業項目の選択を促し、ユーザ端末を介して作業項目の選択または数量の入力が行われたことによって、見積り情報データベースを参照して選択された庭木の種類および作業項目に対する費用を演算する見積り処理手段を備える。【選択図】図１
0003135082.tif 000002
【実用新案登録請求の範囲】
【請求項１】
ユーザ端末と通信ネットワークを介して接続し、庭木剪定作業の見積りを実行するシステムであって、
庭木の種類ごとに作業項目および費用情報を保存する見積り情報データベースと、
庭木の種類を選択するための画像であって複数の庭木の種類のそれぞれを識別可能な画像をユーザ端末へ表示出力し、該画像がクリックされたときに、カーソル位置が画像上のどの領域にあるかを検知することによって、どの庭木の種類が選択されたかを判定し、選択された庭木の種類に対する作業項目が複数ある場合はさらに作業項目の選択を促し、ユーザ端末を介して作業項目の選択または数量の入力が行われたことによって、前記見積り情報データベースを参照して選択された庭木の種類および作業項目に対する費用を演算する見積り処理手段と、
前記見積り処理手段によって演算した庭木の種類と作業項目に対する費用を見積書として出力する見積書作成手段と、
を備えたことを特徴とする庭木剪定見積りシステム。
【請求項２】
前記見積り処理手段は、前記画像のクリックによって選択された庭木の種類が立木の場合は、当該立木の高さを家屋と比較したときの図をユーザ端末上へ表示出力して、立木の高さおよび本数の入力を促し、一方、選択された庭木の種類が生垣または植込みの場合は、幅の入力を促すことを特徴とする請求項１記載の庭木剪定見積りシステム。
【請求項３】
所定の技能を有する植木剪定作業者を前記技能に応じて植木カットデザイナー等の資格あるいはランク別に保存する作業者情報データベースと、
前記作業者の紹介および作業風景を動画として前記ユーザ端末へ表示出力すると共に当該作業者による剪定前と剪定後の画像を比較可能に前記ユーザ端末へ表示出力する作業者情報送信手段と、
を備えたことを特徴とする請求項１または２に記載の庭木剪定見積りシステム。
【請求項４】
前記見積り処理手段は、前記立木の本数および高さ、または、生垣あるいは植込みの幅によって廃材の量を演算すると共に廃材の処理に要する費用を演算することを特徴とする請求項１乃至３のいずれか一に記載の庭木剪定見積りシステム。
【考案の詳細な説明】
【技術分野】
【０００１】
本考案は、インターネット等の通信ネットワークを用いて、庭木剪定作業の見積りを効率よく行いユーザに見積り情報を提供する庭木剪定見積りシステムに関する。
【背景技術】
【０００２】
従来、庭木の剪定を植木屋に依頼する場合、請負人である植木職人（以下、作業者という。）が口頭で依頼人に剪定後の庭木の状態を伝えていた。
【０００３】
これに対して、近年インターネットの普及に伴い、庭木の剪定を依頼する際の見積や作業工数の策定に関する技術が提案されている。（特許文献１〜４参照）
【特許文献１】特開２００２−１６３３５０号公報
【特許文献２】特開２００２−０４１９８６号公報
【特許文献３】特開２００３−０８５２７１号公報
【特許文献４】特開２００３−２６３５７０号公報
【考案の開示】
【考案が解決しようとする課題】
【０００４】
しかしながら、庭木剪定に関する見積り要素は多岐に及ぶため、インターネットを通して見積りを依頼する場合、見積りのためのデータ入力が煩雑となる。また、職人によって剪定の仕方が異なる場合が多く、いかにユーザ（依頼人）の嗜好にあった剪定を行う職人を指定するかが問題となる。
【０００５】
本考案は、上述のかかる事情に鑑みてなされたものであり、庭木剪定のためのデータ入力を効率よく行うことができ、ユーザは自分の嗜好にあった作業者を容易に選ぶことのできる庭木剪定見積りシステムを提供することを目的とする。
【課題を解決するための手段】
【０００６】
上記目的を達成するため、本考案の庭木剪定見積りシステムは、ユーザ端末と通信ネットワークを介して接続し、庭木剪定作業の見積りを実行するシステムであって、庭木の種類ごとに作業項目および費用情報を保存する見積り情報データベースと、庭木の種類を選択するための画像であって複数の庭木の種類のそれぞれを識別可能な画像をユーザ端末へ表示出力し、該画像がクリックされたときに、カーソル位置が画像上のどの領域にあるかを検知することによって、どの庭木の種類が選択されたかを判定し、選択された庭木の種類に対する作業項目が複数ある場合はさらにユーザに作業項目の選択を促し、ユーザ端末を介して作業項目の選択または数量の入力が行われたことによって、見積り情報データベースを参照して選択された庭木の種類および作業項目に対する費用を演算する見積り処理手段と、見積り処理手段によって演算した庭木の種類と作業項目に対する費用を見積書として出力する見積書作成手段と、を備えたことを特徴とする。
【０００７】
本考案では、庭木剪定見積りシステムを通信ネットワークに接続するサーバとして構成し、クライアントであるユーザ端末を介して見積りに必要なデータを入力して、計算した見積り費用を提供する。このとき、庭木の種類ごとに見積り金額が変り、また、見積りのしかたは多岐に及ぶため、本考案では、庭木剪定見積りシステムの中央演算処理部に設けた見積り処理手段によって、まず立木，生垣などの庭木の種類が識別可能な画像をユーザ端末へ表示し、ユーザがその画像をクリックしたときに画像上のどの領域にカーソルがあるかを検知して、その領域に対応する庭木の種類を判定し、詳細の見積り項目の入力処理に繋げていく。これにより、視認性が向上し庭木剪定の見積りのためのデータ入力を正確かつ効率良く実行することが可能となる。
【０００８】
ここで、「庭木」とは、立木、植込、生垣などを意味するが、これに限らず通常植木職人が剪定作業を行う対象全てを含む趣旨である。また、「クリック」とは、広く処理の実行に必要な選択を行うことを意味し、マウスボタンによるクリック操作のほか、同等の機能を発揮する操作、たとえば、カーソルを所定の位置においてキーボードのＥｎｔｅｒ（実行）ボタンを押下するような操作も含む趣旨である。
【０００９】
また、本考案に係わる庭木剪定見積りシステムでは、さらに、見積り処理手段は、画像のクリックによって選択された庭木の種類が立木の場合は、当該立木の高さを家屋と比較したときの図をユーザ端末上へ表示出力して、立木の高さおよび本数の入力を促し、一方、選択された庭木の種類が生垣または植込みの場合は、幅の入力を促すことを特徴とする。
【００１０】
単に立木の高さを入力させるのでは誤差が大きくなり、正確な見積りは困難であるが、家と立木の高さとを比較した図をユーザ端末上へ表示出力することによって、ユーザは感覚的に見積り対象の立木の高さを捉えることができ、より正確なデータの入力が可能となる。
【００１１】
なお、見積り処理手段は、立木の本数および高さ、または、生垣あるいは植込みの幅によって廃材の量およびその処理に要する費用を演算するようにしても良い。作業工数を見積ると共に廃材量を演算することによってパッカー車の手配を適切に行うことができ、作業効率が向上する。
【００１２】
また、見積り処理においては、強剪定、弱剪定などの剪定度合いを入力して、その度合いに基づいて作業工数や廃材量を演算するようにしても良い。
【００１３】
好ましくは、所定の技能を有する植木剪定作業者を技能に応じて植木カットデザイナー等の資格あるいはランク別に保存する作業者情報データベースと、作業者の紹介および作業風景を動画としてユーザ端末へ表示出力すると共に当該作業者による剪定前と剪定後の画像を比較可能にユーザ端末へ表示出力する作業者情報送信手段と、を備えるようにすると良い。
【００１４】
資格保有者の剪定前と剪定後の画像あるいは作業状況の動画をユーザ端末へ表示することによって、ユーザは、好みのデザインに剪定を行う作業者を選択することができる。
【考案の効果】
【００１５】
本考案によれば、庭木剪定のためのデータ入力を効率よく行うことができ、ユーザは自分の嗜好にあった作業者を容易に選ぶことが可能となる。
【考案を実施するための最良の形態】
【００１６】
以下、本考案の実施の形態を説明する。図１は、本実施の形態による庭木剪定見積りシステムの機能ブロック図である。
【００１７】
図１において、庭木剪定の見積りシステム１は、通信ネットワーク３を介してユーザ端末２とデータの送受信を行う送受信部１０、庭木手入れの見積りに関する演算を行う中央演算処理部１１、種々の情報を記憶する記憶部１２から構成されている。また、中央演算処理部１１は、送受信部１０との間でデータの受け渡し処理を行う送受信処理手段１１１、作業者情報をユーザ端末２へ送信する作業者情報送信手段１１２、庭木の見積り処理や作業量・廃材の管理処理を実行する見積り処理手段１１３、見積り処理手段１１３で演算したデータを用いて見積書を作成する見積書作成手段１１４、および、作業者情報や見積りに必要な基本データを記憶部１２に登録する基本情報登録手段１１５を備えている。
【００１８】
さらに、記憶部１２は、立木、生垣、植込みなど庭木の種類ごとに作業項目および費用情報を保存する見積り情報データベース（ＤＢ）１２１、作業者の識別情報や職能に関する情報などを保存する作業者情報データベース（ＤＢ）１２２を有している。
【００１９】
次に、上記の構成を有する庭木剪定見積りシステム１の動作を説明する。
[基本情報登録処理]
基本情報登録手段１１５によって、予め作業者情報と見積り情報を記憶部１２へ登録する。作業者情報ＤＢ１２２は、図２に示すように、作業者ごとに作業者ＩＤ、氏名、住所などの作業者特定情報、経験年数や資格などの職能情報のほか、その作業者による剪定前後の画像および作業状況や自己紹介などの動画データが保存されている。
【００２０】
見積り情報ＤＢ１２１は、図３に示すように、立木、生垣、植込み等という庭木の種類ごとにその庭木に対して行う作業項目（剪定、伐採、消毒など）が定義され、さらにこれらの作業項目ごとに見積り作成に必要な単位および単価が関連付けられて保存されている。また、廃材が出るような場合は、その処理に要する単価が格納されている。
【００２１】
なお、図３に示す見積り情報は、費用見積りに必要な単価情報のみを例示しているが、作業工数（作業時間）や廃材量なども保存しておいて、作業の工程管理に利用するようにしても良い。
【００２２】
[見積り処理]
次に、図４を用いて庭木剪定の見積り処理について説明する。
まず、ユーザは、ユーザ端末２を介して庭木剪定見積りシステム１の所定のＵＲＬへアクセスする。図５は、ユーザ端末２へ表示される見積り用画面の一例である。この画面において、ユーザは、まず、庭木の種類を表示した画像（種類選択用画像）中の領域Ａ１〜Ａ４のうち、見積りを希望する領域をクリックする。
【００２３】
庭木剪定見積りシステム１の見積り処理手段１１３は、領域Ａ１〜Ａ４の画像領域でクリックされたか否かを判定し（Ｓ１０１）、ＹＥＳの場合は、そのときのカーソルの位置によってクリックされた画像領域に対応する種類の見積りデータ入力用画面をエリアＢに表示する。たとえば、種類選択用画像の領域Ａ１、すなわち「立木」が選択されたクリックされた場合は、見積り情報ＤＢ１２１に定義されているように、作業項目（作業内容）としては、「剪定」、「伐採」、「消毒」があるため、見積り用画面のエリアＢにプルダウンメニューとして、これらの作業項目を表示し、ユーザに一の作業項目の選択を促す（Ｓ１０２）。なお、ステップＳ１０１で立木が選択された場合は、ステップＳ１０２において立木の高さと家屋の高さとの関係がわかるような図を表示出力すると良い。これにより、ユーザは、立木の高さのデータを正確かつ容易に入力することができる。
【００２４】
そして、作業項目の選択が行われた場合は、その作業項目によってさらに詳細の情報、たとえば、立木の高さや本数などのデータの入力を促す。そして、これらのデータの入力が有ると（Ｓ１０３で「ＹＥＳ」）、入力されたデータを一時バッファへ保存する（Ｓ１０４）。
【００２５】
次に、見積り作成に必要な欄（カラム）のデータ入力が完了したか否かを判定して（Ｓ１０５）、データ入力が完了している場合は見積り金額をエリアＣに表示する（Ｓ１０６）。また、ゴミ処理について、「希望する」が選択されている場合は（Ｓ１０７）、見積り情報ＤＢ１２１を参照して、入力データの庭木の種類と作業項目に関連付けられた廃材単価を抽出し、この単価に数量を掛け合わせて作業によって発生するゴミ処理費用を算出し、剪定作業の合計金額と共にエリアＣに表示出力する（Ｓ１０８）。
【００２６】
そして、エリアＤに作業項目、種類ごとの費用を表示する（Ｓ１０９）。次に他の作業項目について入力が有る場合は（Ｓ１１０で「ＹＥＳ」）、再びステップＳ１０３へ戻って、以降の処理を実行し、他の作業項目についての入力が無い場合、すなわち、全ての作業項目についてのデータ入力が完了した場合は（Ｓ１１０で「ＮＯ」）、次に顧客情報の入力が有るか無いかを判定して（Ｓ１１１）、入力が有った場合はその顧客情報を保存する（Ｓ１１２）。
【００２７】
その後、エリアＥの実行ボタンのいずれかがクリックされた場合は（Ｓ１１３）、そのボタンの対応する処理を実行する（Ｓ１１４）。たとえば、「見積書確認ページ」のボタンが選択された場合は、見積書作成手段１１４を起動して後述の見積書作成処理を実行する。「見積り内容の送信」ボタンが選択された場合は、見積り内容を剪定業者のメールアドレスへ送信する。
【００２８】
そして、他の画面へのリンクが選択されるなど、見積り画面を抜けることによって処理を終了する（Ｓ１１５）。
【００２９】
上記の処理は、処理手順を説明するための一例であり、各処理、たとえばステップＳ１１１の顧客情報入力処理やステップＳ１１３の選択された実行ボタンに対する処理などをイベント起動型にして入力の有ったときに各々独立して動作させることも可能である。
【００３０】
［見積書作成処理］
見積り用画面の「見積書確認ページ」等のボタンがクリックされることによって、見積書作成手段１１４が起動し、見積り用画面を通して入力され一時保存されている入力データや顧客情報を見積書のテンプレートの該当欄に書き込む。
図６は、見積書の一例である。顧客情報、業者情報のほか、作業項目（作業内容）ごとに庭木の種類や単価、数量、見積り金額、ゴミ処分費用などが表示されている。
この見積書データは、ユーザ端末２へ送信され、端末のディスプレイ上に表示出力され、またプリンタなどの印字装置によってプリントアウトされる。
【００３１】
［作業者情報提供処理］
ユーザは、ユーザ端末２上に表示された作業者情報画面によって、作業者の情報を確認する。作業者情報画面には、作業者の紹介および作業風景を提供するメッセージが表示されており、ユーザが、そのメッセージを選択することによって、作業者情報送信手段１１２が起動する。
【００３２】
作業者情報送信手段１１２は起動すると、選択された内容に基づいて、作業者情報ＤＢ１２２を参照して、該当する作業者の情報をユーザ端末２へ送信する。たとえば、「作業者の紹介」が選択された場合は、当該作業者の職務経歴や資格などの情報、および、剪定前、剪定後の画像を表示する。作業者の自己紹介を動画で配信するようにしても良い。
【００３３】
［注文処理］
ユーザは、見積書の内容を確認後、送信ボタンをクリックして発注を行う。これによって、作業内容や顧客情報が業者の端末へ通知される。このとき、提供された作業者情報によって好みの剪定を行う作業者を指定するようにすると良い。なお、正式な注文は業者からの折り返しの連絡によって行うようにしても良い。
【００３４】
以上、本実施の形態によれば、ユーザは、庭木剪定見積りシステムによってユーザ端末に表示される見積り用画面を通して庭木剪定のための見積りデータを効率よく入力することができる。特に、複数の庭木の種類について夫々を識別可能な画像を表示し、ユーザは、その画像の庭木の種類に対応する特定の領域をクリックすることによって、以降の作業項目や数量などの詳細の見積り用データを入力するようにしたので、効率のよいデータ入力が可能になる。
【００３５】
また、所定の経験や技能を有する作業者に植木カットデザイナーという資格を付与し、その資格を有する者を作業者一覧に登録し、当該作業者による剪定前、剪定後の写真を表示することによって、ユーザは安心して自身の嗜好にあった作業者を指定することができる。
【００３６】
本考案は上述した実施形態に限定されるものではなく、その要旨を逸脱しない範囲内において、種々変形して実施することができる。
【００３７】
たとえば、庭木の剪定前後の写真のほかに、一定期間（たとえば１年）ごとの成長状況を記録した写真あるいは成長を予想して作成した画像を掲載するようにしても良い。
【００３８】
さらに、他の実施例として庭木の輪郭外周の塗りつぶし濃度を調整して、年数に応じた濃度によって塗りつぶされた庭木画像を上記の剪定後の庭木画像に重ね合わせて貼り付けることによって、生垣などの目隠しの程度を簡便な方法で表示することができる。
【００３９】
また、単なる費用の見積りのみでなく、庭木の伐採量により作業工数を見積ると共に廃材量を計算することによって、廃材処理のための車の手配指示によりサービスの向上を図ることができる。
【図面の簡単な説明】
【００４０】
【図１】本考案の実施の形態による庭木剪定見積りシステムの機能ブロック図である。
【図２】図１の作業者情報ＤＢ１２２のデータ構造図である。
【図３】図１の見積り情報ＤＢ１２１のデータ構造図である。
【図４】図１の見積り処理手段１１３の処理手順の一例を示すフローチャートである。
【図５】本実施の形態によるユーザ端末上に表示される見積り用画面の一例を示す図である。
【図６】図１の見積書作成手段１１４によって作成される見積書の説明図である。
【符号の説明】
【００４１】
１  庭木剪定見積りシステム
２  ユーザ端末
３  通信ネットワーク
１０，２０  送受信部
１１  中央演算処理部
１２  記憶部
２１  入力データ
２２  表示データ
２３  剪定作業見積書
１１１  送受信処理手段
１１２  作業者情報送信手段
１１３  見積り処理手段
１１４  見積書作成手段
１１５  基本情報登録手段
１２１  見積り情報ＤＢ
１２２  作業者情報ＤＢ
【図１】
0003135082.tif 000003
【図２】
0003135082.tif 000004
【図３】
0003135082.tif 000005
【図４】
0003135082.tif 000006
【図６】
0003135082.tif 000007
【図５】
0003135082.tif 000008
【手続補正書】
【提出日】平成19年6月19日(2007.6.19)
【手続補正１】
【補正対象書類名】図面
【補正対象項目名】図５
【補正方法】変更
【補正の内容】
【図５】
0003135082.tif 000009
【手続補正２】
【補正対象書類名】図面
【補正対象項目名】図６
【補正方法】変更
【補正の内容】
【図６】
0003135082.tif 000010